(57)【要約】【課題】その場に適した媒体を異常時のバックアップ経路とすることができるネットワーク監視装置を提供する。【解決手段】ネットワーク監視装置１０はネットワークを構成するハブ３０に接続され、ハブ３０に接続されたネットワークの経路に異常がないかどうかのデータを取得する。ネットワーク監視装置１０は、ネットワークを管理するネットワーク管理装置５０とハブ３０を介してイーサネット（Ｒ）３５で接続する経路と、イーサネット（Ｒ）と異なる、カード接続が可能な媒体、たとえば、ＰＨＳ６０によって接続する経路とを有する。【選択図】        図１
2004207816.tif 000002
【特許請求の範囲】
【請求項１】
ネットワークを構成する機器に接続され、前記ネットワークを監視するネットワーク監視装置であって、
前記ネットワークを管理するネットワーク管理手段と第１の経路で接続する手段と、
前記第１の経路と異なる第２の経路で前記ネットワークを管理するネットワーク管理手段と接続する手段とを含み、前記第２の経路はカード接続が可能な媒体による接続である、ネットワーク監視装置。
【請求項２】
前記カード接続が可能な媒体による接続はＰＨＳによる接続である、請求項１に記載のネットワーク監視装置。
【請求項３】
ネットワークを構成する機器に接続され、前記機器の接続状態を検出して前記ネットワーク管理するネットワーク管理装置に前記検出した情報を送信することによりネットワークを監視するネットワーク監視装置であって、
前記ネットワーク管理手段と交信するために前記ネットワーク管理手段の前記ネットワーク上でのアドレスおよび前記ネットワーク以外のアドレスを予め複数登録する手段を含み、
前記ネットワーク上のアドレスに前記ネットワークを介して接続する手段と、
前記ネットワークに異常が生じたことを検出する検出手段と、
前記検出手段が前記異常を検出したときは、前記ネットワーク以外のアドレスに切換える切換え手段と、
切換えたアドレスで特定される経路を用いて前記ネットワーク管理装置に接続する手段とを含む、ネットワーク監視装置。
【発明の詳細な説明】
【０００１】
【発明の属する技術分野】
この発明はネットワーク監視装置に関し、特に、安価にネットワークの監視ができるネットワーク監視装置に関する。
【０００２】
【従来の技術】
この発明に興味のあるネットワーク監視装置がたとえば、下記特許文献１に記載されている。特許文献１によれば、業務処理を集中して行うホストコンピュータと、前記ホストコンピュータと２系統の通信経路で接続され、該２系統の通信経路の内の一方の通信経路を介して前記業務処理の対象となるデータを送信すると共に、該ホストコンピュータの処理結果を受信する複数の端末装置とを有するネットワークシステムにおいて、前記端末装置に、前記ホストコンピュータとの間の通信経路の状態を監視して該通信経路が一定時間切断したときに、他方の通信経路を使用して前記ホストコンピュータに接続するために回線接続情報の設定変更を行う回線制御手段と、前記設定変更された回線接続情報に基づいて通信経路を切り替える回線切替手段とを設けている。
【０００３】
【特許文献１】
特開２０００−３４９７７９号公報（段落番号０００５、図１）
【０００４】
【発明が解決しようとする課題】
従来のネットワーク管理装置は上記のように構成されていた。金融機関において、金融事務センタと金融営業店との間で通信網を二重化し、回線障害に対応していた。しかしながら、回線を二重化するには設備費が高額になるという問題があった。
【０００５】
また、従来のネットワーク監視装置は通信網の状態を監視するだけで、多種多様かつ大量のネットワーク構成機器の稼働状況をチェックするということは無かった。
【０００６】
この発明は上記のような問題点を解消するためになされたもので、安価で且つ、その場に適した媒体を異常時のバックアップ経路とすることができるネットワーク監視装置を提供することである。
【０００７】
この発明の他の目的は、安価でかつ障害の生じた場所を容易に特定できるネットワーク監視装置を提供することである。
【０００８】
【課題を解決するための手段】
ネットワークを構成する機器に接続され、ネットワークを監視するネットワーク監視装置は、ネットワークを管理するネットワーク管理手段と第１の経路で接続する手段と、第１の経路と異なる第２の経路でネットワークを管理するネットワーク管理手段と接続する手段とを含み、第２の経路はカード接続が可能な媒体による接続である。
【０００９】
ここで、第１の経路はたとえば、イーサネット（Ｒ）を用いた経路であり、第２の経路はＰＨＳや無線ＬＡＮを用いた経路である。
【００１０】
ネットワーク監視装置はネットワークを管理するネットワーク管理装置と複数の経路で接続され、その一方はカード接続が可能な媒体による接続であるため、一方の経路が切断されても他方の経路でネットワーク管理装置とのデータの交信が可能であり、また、その接続がカード接続可能な経路で行えるため、複数種類の媒体の中から所望の種類を選択して交信が可能となる。
【００１１】
その結果、その場に適した媒体を異常時のバックアップ経路とすることができるネットワーク監視装置が提供できる。
【００１２】
好ましくは、カード接続が可能な媒体による接続はＰＨＳによる接続を含む。
【００１３】
ＰＨＳによる経路をバックアップとして利用できる。ＰＨＳは内線電話として一般の企業に普及しているため、あらたにバックアップ用の経路を設ける必要がない。
【００１４】
その結果、安価でかつ障害の生じた場所を容易に特定できるネットワーク監視装置を提供できる。
【００１５】
この発明の他の局面によれば、ネットワークを構成する機器に接続され、機器の接続状態を検出して前記ネットワーク管理するネットワーク管理装置に検出した情報を送信することによりネットワークを監視するネットワーク監視装置は、ネットワーク管理手段と交信するためにネットワーク管理手段のネットワーク上でのアドレスおよびネットワーク以外のアドレスを予め複数登録する手段と、ネットワーク上のアドレスにネットワークを介して接続する手段と、ネットワークに異常が生じたことを検出する検出手段とを含み、検出手段が異常を検出したときは、ネットワーク以外のアドレスに切換える切換え手段と、切換えたアドレスで特定される経路を用いてネットワーク管理装置に接続する手段とを含む。
【００１６】
ネットワークに異常が検出されたときは、ネットワーク以外のアドレスに切換えられ、切換えたアドレスで特定される経路を用いてネットワーク管理装置に接続するため、ネットワークに異常が生じたときも監視装置の入手したデータをネットワーク管理装置は受け取ることができ、ネットワークの異常箇所を特定できる。
【００１７】
その結果、簡単な構成で異常時の対処ができるネットワーク監視装置が提供できる。
【００１８】
【発明の実施の形態】
以下、この発明の実施の形態を図面を参照して説明する。図１はこの発明の１実施の形態にかかるネットワーク監視装置が組み込まれたネットワークシステムの構成を示すブロック図である。
【００１９】
図１を参照して、ネットワークシステムはたとえば、ハブ３０のようなネットワーク接続機器と、ネットワーク接続機器に接続されたネットワーク監視装置１０と、ネットワーク全体を管理するネットワーク管理装置５０とを含む。ネットワーク監視装置１０は、ハブ３０の交信データを監視し、監視データを通常は、たとえばイーサネット（Ｒ）（第１の経路の例）のような、ネットワーク(以下、ＬＡＮと記載する場合がある）４０を介してネットワーク管理装置５０に送信している。
【００２０】
なお、ここでは簡単のために、ネットワーク接続機器として、ハブ３０のみを示している。
【００２１】
ネットワーク監視装置１０はハブ３０のコンソールポート３１、イーサネット（Ｒ）ポート３２およびアナライザポート３３に接続されている。ハブ２０とネットワーク４０の接続はイーサネット（Ｒ）ケーブル３５を介して行われる。
【００２２】
この実施の形態においては、ネットワーク監視装置１０は上記した通常のイーサネット（Ｒ）ケーブル３５経由とは別に、ＰＣＭＣＩＡ（Personal Computer Memory Card International Association）のような、ＰＣカード標準に準拠した名刺サイズのカードで接続可能な機器、たとえば、ＰＨＳカードを用いた場合はＰＨＳ６０を経由（第２の経路の例）してネットワーク管理装置５０と交信が可能である。
【００２３】
図２は図１に示したネットワーク監視装置１０の構成を示すブロック図である。図２を参照して、ネットワーク監視装置１０はネットワーク監視装置１０全体を制御するＣＰＵ１１とメモリ１２とバス１３とを含む。バス１３にはシリアルチップ１９を介してコンソールポート２０が接続されている。
【００２４】
ネットワーク監視装置１０は、コンソールポート２０を介して図１に示したハブ３０のコンソールポート３１と接続されている。バス１３にはさらに、ＰＣＩ(Peripheral Component Interconnect)バス１４を介してイーサネット（Ｒ）ポート１６およびカードスロット１７が接続されている。バス１３にはさらにＩＤＥ(Integrated Device Electronics)バスを介してハードディスク１８が接続されている。
【００２５】
コンソールポート２０はＲＳ２３２Ｃ接続で、次の機能を達成するために設けられている。すなわち、ネットワーク監視装置１０はハブ３０のような管理対象機器のシリアルポートより出力されるデータをファイルヘ保存し、定期的にファイルのローテートを行うポートデータ収集機能や、ターミナルソフトを起動し、シリアルポート経由で管理対象機器の制御を可能にする、ターミナル機能を有している。
【００２６】
イーサネット（Ｒ）ポート１６はハブ３０を介してネットワーク管理装置３０と交信するために設けられている。カードスロット１７は上記したように、ＰＣＭＣＩＡに準拠した機器を接続するもので、無線ＬＡＮ用のカード、ＰＨＳ通信用カードまたはモデムカードが接続できる。ネットワーク監視装置１０はイーサネット（Ｒ）不通時等の異常時には、無線ＬＡＮカード、ＰＨＳ通信用カードまたはモデムカードを用いてネットワーク管理装置３０と交信する。
【００２７】
イーサネット（Ｒ）ポート１６にはアナライザーポートおよび交信用イーサネット（Ｒ）ポートの２つのポートがある。
【００２８】
図３はネットワーク監視装置１０の処理内容７０と、使用される通信プロトコル９０と、ＴＣＰ／ＩＰの階層１００を示す図である。通信プロトコルとしては、ＡＣＥが用いられている。ここでプロトコルＡＣＥはアプリケーションとの間で通信を制御するミドルウエアである。
【００２９】
ネットワーク監視装置１０の処理７０としては、次のようなものがある。まず、ＬＡＮからのパケットを採取したパケットの解析７１を行う。パケットアナライザにより、ＬＡＮ上のデータをアナライザポートから取得し、その内容をファイルに出力することによって、ネットワークモニタ機能を達成する。ここで出力されたファイルはハードディスク１８に格納される。
【００３０】
ＳＮＭＰ（Simple Network Management Protocol）のピンコマンド（ping command）を用いてラインの生存チェック７２を行う。近隣の機器との通信状態を監視することによって、機器の生存確認を行う。
【００３１】
ログ通知７３は管理対象機器のログデータをキーエミュレーションを使用することによって採取し、その結果をネットワーク管理装置５０に通知する。
【００３２】
上記以外に、ハブ３０等に接続されたネットワーク機器の構成状態を検知するトポロジ報告７４や、ネットワーク機器の情報であるＭＩＢ（Management Information Base）の問い合せ７５や、監視される側のオブジェクトが異常を起こしたことを示すトラップの収集７６や、上記したＭＩＢの取得７７や、ネットワークのトラブル通知７８や、上記したトポロジの表示８０や、ログの表示８１や、それぞれのネットワーク機器の有するコンフィグファイルが変更されていないかどうかを示すコンフィグチェック８２や、ＴＴＹログ収集８３などの機能を有している。ここでＴＴＹ(Tele-Typewriter)とは、キャラクタ端末のことである。
【００３３】
なお、上記以外に、コンフイグレーション管理機能や、コンフイグレーションを定期的にバックアップする、コンフイグレーション自動バックアップ機能や、管理対象機器がネットウークから孤立した場合、自動的に正常時のコンフイグレーションに変更し、再起動を行う、コンフイグレーション自動復旧機能や、管理対象機器のコンフィグレーションをグラフイカルに表示する、コンフイグレーション表示機能や、トラブル等が発生した場合に、メールにてその内容をネットワーク管理装置５０に通知する、メール機能を有する。
【００３４】
トラップ収集やＭＩＢの取得はＳＭＴＰ（Simple Mail Transfer Protocol）プロトコルを用いて行う。ＳＭＴＰプロトコルとはメールサーバとメールクライアントの送受信方法を定めたプロトコルであり、メールソフトを利用しネットワーク管理装置５０と通信をおこなう場合に使用する。
【００３５】
図３を参照して、ネットワーク監視装置１０はパケット解析処理７１の後、通信ログや通信統計ログを作成する。生存チェック処理７２で生存ログが作成され、ローカルトポロジ（機器構成）が判明し、トポロジ報告７４やトポロジ表示７９やトラブル検知７４が行われる。ＭＩＢ問い合わせ７５や７９に応じてＭＩＢ取得７７が行われる。
【００３６】
図４は図１および図２に示したネットワーク監視装置１０とネットワーク管理装置５０との関係を示す図である。ネットワークを構成する機器の一例としての各ハブ２０それぞれにネットワーク監視装置１０が設けられている。また、ネットワークの一部にネットワーク管理装置５０が設けられている。このような構成で、ネットワーク監視装置１０は図３に示した各データの取得等を行っている。
【００３７】
次にネットワーク監視装置１０の、ネットワーク異常時の動作について説明する。図５はネットワーク監視装置１０のネットワーク異常時の動作を示すフローチャートである。図５を参照して、ネットワーク監視装置１０は通常図３に示すデータを取得し、そのデータをネットワーク管理装置５０に送信する（ステップＳ１１、以下ステップを省略する）。通信に異常が生じたとき（Ｓ１２でＮＯ）、通信経路を切換える。
【００３８】
ここで、通信の異常とは、通常イーサネット（Ｒ）を経由してピンコマンドを用いてネットワークの生存をチェックしているが、この通信応答が途切れたときのことをいう。
【００３９】
ネットワーク監視装置１０はＳ１３で示した通信経路の切換えのために、図２に示したカードスロット１７に挿入するカードを予め定めておく。そして、そのカードを介してネットワーク管理装置５０へアクセスするための各ホスト名を記録したファイルを保存している。そのファイルの一例を図６に示す。
【００４０】
図６を参照して、そこには、ホスト名Ａ〜Ｃの各々に対するＩＰアドレスが記載されている。たとえば、無線ＬＡＮがホストＡであり、ＰＨＳがホストＢであり、モデムの接続がホストＣに対応する。すなわち、予め無線ＬＡＮカードがカードスロットに挿入されていれば、ホストＡへＩＰアドレスが切り替る。
【００４１】
なお、上記以外に他の経路を含めても良いし、通常のイーサネット（Ｒ）による接続のためのホストを含めても良い。
【００４２】
また、ネットワーク監視装置１０はリモートアクセスサーバ機能を有し、この機能を用いて、通信に異常が生じたときは、シリアル通信ポートを介してＰＨＳ機能と通常の電話線とを接続してネットワーク管理装置と接続し、異常の原因を調査してもよい。
【００４３】
すなわち、この実施の形態においては、予め、通信異常状態において切換えるべきＩＰアドレスに対応する通信カードがカードスロット１７に挿入されている。通常のイーサネット（Ｒ）による通信が不能になったとき、カードスロットに挿入されている通信カードに対応する、たとえば、ホストＢのＩＰアドレスへ切換える。そして、イーサネット（Ｒ）による通信で送信していたネットワーク監視データをＰＨＳを用いてネットワーク管理装置５０に送信する。この情報送信はすべてのネットワーク監視装置１０から行われるため、ネットワーク管理装置５０ではどの部分で異常が生じたのかをすぐに検出できる。
【００４４】
なお、ここで、媒体としては、上記した無線ＬＡＮカード、ＰＨＳ通信用カードまたはモデムカードのいずれを用いてもよいが、図１に示したＰＨＳが好ましい。
【００４５】
これは次の理由による。すなわち、一般に会社等には内線システムとしてＰＨＳが設備されていることが多い。これを利用すれば、設備費も通話料もかけることなく、ネットワークの監視をすることができる。
【００４６】
次にネットワーク管理装置５０について説明する。ネットワーク管理装置は各ネットワーク監視装置１０から送信されてくるログデータをグラフイカルに表示する、ログ表示機能や、各ネットワーク監視装置１０から送信されてくるログデータを管理するログ管理機能や、各ネットワーク監視装置１０から収集したデータより、ネットワーク・トポロジを管理するとともにそれをグラフィカルに表示する、ネットワーク・トポロジ管理機能、ネットワーク・トポロジ表示機能を有する。
【００４７】
ネットワーク管理装置５０はさらに、各ネットワーク監視装置１０から収集したデータより、通信不良と思われる個所を特定し、表示する、ネットワーク・アラート機能や、各ネットワーク監視装置１０が収集したアナライジングデータをグラフイカルに表示する、アナライジングデータ表示機能や、トラブル等が発生した場合に、メールにてその内容を図示のない、社内メールサーバや、外部の商用メールサーバへ通知する、メール機能を有する。
【００４８】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。そのいくつかを例示的に列挙して説明する。
【００４９】
１．  前記ネットワーク上で切換えられるアドレスはＰＨＳのアドレスである、請求項３に記載のネットワーク監視装置。
【００５０】
２．  前記ネットワーク上でのアドレスはＩＰアドレスである、上記１に記載のネットワーク監視装置。
【００５１】
３．  前記ネットワーク監視装置はシリアル通信ポートを有し、
前記検出手段が前記異常を検出したとき、前記シリアル通信ポートを介してネットワーク監視装置の有するリモートアクセスサーバ機能を用いて、前記第２経路でネットワーク管理装置と接続し、前記異常の原因を調査する、請求項１に記載のネットワーク監視装置。
【図面の簡単な説明】
【図１】ネットワーク監視装置が組み込まれたネットワークの構成を示す模式図である
【図２】ネットワーク監視装置の構成を示すと、使用される通信プロトコルと、ＴＣＰ／ＩＰの階層を示す図である。
【図３】ネットワーク監視装置の処理内容と、使用される通信プロトコルと、ＴＣＰ／ＩＰの階層を示す図である。
【図４】ネットワーク監視装置とネットワーク管理装置との関係を示す図である。
【図５】ネットワーク監視装置のネットワーク異常時の動作を示すフローチャートである。
【図６】各ホスト名を記録したファイルを示す図である。
【符号の説明】１０  ネットワーク監視装置、１１  ＣＰＵ、１２  メモリ、１３  バス、１４  ＰＩＣバス、１５  ＩＤＥバス、１６  イーサネット（Ｒ）ポート、１７  カードスロット、１８  ハードディスク、１９  シリアルチップ、２０  コンソールポート、３０  ハブ、４０  ネットワーク、５０  ネットワーク管理装置、６０  ＰＨＳ
【図１】
2004207816.tif 000003
【図２】
2004207816.tif 000004
【図３】
2004207816.tif 000005
【図４】
2004207816.tif 000006
【図５】
2004207816.tif 000007
【図６】
2004207816.tif 000008